(57)【要約】【課題】オーバーフロー管の下部に浸水防止部を設けたことで、引き上げ時に、オーバーフロー管の下部から洗浄水がオーバーフロー管内に浸水することを完全に防止することができる。その結果、引き上げ時に、オーバーフロー管内の空気による浮力を利用でき、引き上げ速度が早めることが可能となるロータンク装置を提供することができる。【解決手段】洗浄水を溜めるロータンクの底部に設けた排水口と、排水口に対向した位置に流出開口部を有し、上下動自在に支持せしめたオーバーフロー管と、オーバーフロー管の下部に備えた弁体と、を設けて、オーバーフロー管を上下動させることによって、弁体により前記排水口からの洗浄水の排出を制御するロータンク装置であって、流出開口部に、流出開口部から洗浄水がオーバーフロー管内に浸入することを防止する浸水防止部を備えた。【選択図】図１
2009287222.tif 000002
【特許請求の範囲】
【請求項１】
洗浄水を溜めるロータンクの底部に設けた排水口と、
前記排水口に対向した位置に流出開口部を有し、上下動自在に支持せしめたオーバーフロー管と、
前記オーバーフロー管の下部に備えた弁体と、
を設けて、
前記オーバーフロー管を上下動させることによって、前記弁体により前記排水口からの洗浄水の排出を制御するロータンク装置であって、
前記流出開口部に、
前記流出開口部から洗浄水が前記オーバーフロー管内に浸入することを防止する浸水防止部を備えたことを特徴とするロータンク装置。
【請求項２】
前記オーバーフロー管が所定の高さに位置した場合に、
前記浸水防止部の機能を停止させることにより、前記流出開口部から洗浄水を浸水させる浸水防止停止部を、
前記ロータンク内に備えたことを特徴とする請求項１記載のロータンク装置。
【発明の詳細な説明】
【技術分野】
【０００１】
本発明は、便器に洗浄水を供給するロータンク装置に関する。
【背景技術】
【０００２】
オーバーフロー管を上下動させることによって、ロータンクの底部に設けた排水口からの洗浄水の排出を制御するロータンク装置の先行技術として、特開２００４−１１６０９４号公報がある。
特開２００４−１１６０９４号公報は、ロータンク装置において、排水口に対向した位置に流出開口部を有するオーバーフロー管と接合する排水弁が、開弁したときに、流出開口部からオーバーフロー管内に逆流する洗浄水の水勢を低減するための逆流低減部材を備えている。 
これによって、オーバーフローと接合する排水弁が開弁したときに、流出開口部からオーバーフロー管内に逆流する洗浄水の水勢を低減することができた。
【０００３】
【特許文献１】特開２００４−１１６０９４号公報
【発明の開示】
【発明が解決しようとする課題】
【０００４】
しかしながら、特開２００４−１１６０９４号公報のロータンク装置は、常に流出開口部が開口しているため、逆流する洗浄水の水勢を低減することはできても、オーバーフロー管内への洗浄水の流入を完全に防止することができなかった。
【０００５】
そのため、オーバーフロー管を引き上げた時に、オーバーフロー管内に洗浄水が浸水してしまい、オーバーフロー管内が空気で満たされることによって発生する浮力を十分に利用できず、オーバーフロー管の引き上げ速度を速めることが困難であった。
【０００６】
そこで、本発明の目的は、オーバーフロー管の下部に浸水防止部を設けることで、オーバーフロー管の引き上げ時に、オーバーフロー管の下部の流出開口部から洗浄水がオーバーフロー管内に浸水することを完全に防止することできるロータンク排水弁を提供することにある。
【０００７】
すなわち、本発明の目的は、オーバーフロー管の引き上げ時に、オーバーフロー管内の空気による浮力を利用でき、引き上げ速度を速めることが可能な、ロータンク装置を提供することにある。
【課題を解決するための手段】
【０００８】
本発明の一態様によれば、洗浄水を溜めるロータンクの底部に設けた排水口と、排水口に対向した位置に流出開口部を有し、上下動自在に支持せしめたオーバーフロー管と、オーバーフロー管の下部に備えた弁体と、を設けて、オーバーフロー管を上下動させることによって、弁体により前記排水口からの洗浄水の排出を制御するロータンク装置であって、流出開口部に、流出開口部から洗浄水がオーバーフロー管内に浸入することを防止する浸水防止部を備えたことを特徴とするロータンク装置を提供することができる。
【発明の効果】
【０００９】
本発明によると、オーバーフロー管の流出開口部に浸水防止部を設けたことで、オーバーフロー管の引き上げ時に、オーバーフロー管の流出開口部から洗浄水がオーバーフロー管内に浸水することを完全に防止することができる。
【発明を実施するための最良の形態】
【００１０】
以下、図面を参照に、本発明の実施形態について説明する。
【００１１】
図１は、本発明の実施形態に関わるロータンク装置の構成を示す斜視図である。
【００１２】
また、図２は、本発明の実施形態にロータンク装置の構成を示す断面図である。
【００１３】
本実施形態に係るロータンク装置５０は、洗浄水を溜めるロータンク６の底部に設けた排水口８と、その排水口８に対向した位置に流出開口部３を有し、上下動自在に支持されたオーバーフロー管２と、そのオーバーフロー管２の下部に設けられてオーバーフロー管２と一体で駆動する弁体１と、その流出開口部３に設けられ、流出開口部３から洗浄水がオーバーフロー管２の内部に浸入することを防止する浸水防止部３０と、オーバーフロー管２の上下動を駆動するモータ４０と、モータ４０の駆動を伝えるモータ軸４１と、モータ軸４１とオーバーフロー管２の上部とをつなぐ玉鎖５と、オーバーフロー管２が所定の高さに位置した場合に、浸水防止部３０の機能を停止させることにより、流出開口部３から洗浄水を浸水させる浸水防止停止部７と、で構成される。
なお、これらの構成物は、すべてロータンク６の内部に収納される。
【００１４】
弁体１の下部は、ゴムやシリコンなどの軟質の材料で作られており、弁体１が閉まった状態ではロータンク６の内部の洗浄水が、便器に供給されないように、完全に止水することができる。
【００１５】
また、弁体１の下部は、樹脂や金属などの硬い材料であって、弁体１が接するロータンク６の一部が軟質の材料であっても良い。
【００１６】
図３は、浸水防止部３０の模式図を示している。
図３の（ａ）は、ロータンク６の内部の洗浄水が、オーバーフロー管２の内部に流入する場合の模式図である。
図３の（ｂ）は、オーバーフロー管２の内部の洗浄水がオーバーフロー管２の外部に流出する場合の模式図である。
【００１７】
浸水防止部３０は、ボール３１、テーパ部３２、メッシュ部３３で構成される。なお、ボール３１は軽い方が良く、ゴム製や樹脂製であったほうが良い。
【００１８】
ロータンク６の内部の洗浄水が、オーバーフロー管２の内部に浸水しようとすると、ボール３１がテーパ部３２に流れによって押し付けられるため、洗浄水が浸水することができない。逆に、オーバーフロー管２の内部の洗浄水がオーバーフロー管６の外部に流出する時には、流れによってボール３１がメッシュ部３３に押し付けられるが、メッシュ部３３のため止水されることはなく、洗浄水は流出することが可能である。
【００１９】
浸水防止部３０は、このような機能を果たすことができれば良く、上記構成でなくても良い。例えば、スイング式 、リフト式、ボール式、フート式などがある。
【００２０】
次に、ロータンク装置５０の動きについて説明する
【００２１】
制御部（図示しない）に洗浄開始信号が入力されると、モータ４０を駆動させるように制御する。モータ４０の駆動によって、玉鎖５を介して弁体１、オーバーフロー管２が引き上げられる。そうすると、オーバーフロー管２とともに、弁体１が引き上げられて、ロータンク６の内部に貯留されている洗浄水は、排水口８から便器に供給される。
【００２２】
その時、オーバーフロー管２の内部は大気圧であり、ロータンク６の内部よりも圧力が低いが、浸水防止部３０が設けられていることで、ロータンク６の内部の洗浄水がオーバーフロー管２の内部に浸水することはない。
【００２３】
その結果、オーバーフロー管２が、ロータンク６の内部の洗浄水を押しのけた体積分の浮力が生じる。そのため、より速い速度でオーバーフロー管２を引き上げることができる。
【００２４】
なお、オーバーフロー管２を引き上げる手段は、モータ４０を用いなくても、人の手の力や、水力を利用しても良い。また、玉鎖５の代わりに糸やチェーン、もしくはフレキシブルでない軸を用いることも可能である。
【００２５】
オーバーフロー管２が、モータ４０によって十分に引き上げられると、浸水防止部３と浸水防止停止部７が接する。
【００２６】
図４は、浸水防止部３０と浸水防止停止部７が接した時の様子を示した模式図である。ここで、浸水防止停止部７は、ロータンク６に取り付けられて、可動しない棒状の剛体で、構成されている。
【００２７】
図４のように、浸水防止部３０と浸水防止停止部７が接すると、浸水防止停止部７によってボール３１が下方向へ押し戻されるため、ロータンク６の内部からオーバーフロー管２の内部へ洗浄水が浸水しようとした場合であっても、ボール３１がテーパ部３２へ押し付けられることがない。そのため、ロータンク６の内部からオーバーフロー管２の内部へ洗浄水が浸水することになる。
【００２８】
その後、弁体１、オーバーフロー管２、浸水防止部３０は、自重により下降して、弁体１は、排水口８に押し付けられる。これにより、排水口８からの便器への洗浄水の供給は停止される。
【００２９】
この時、浸水防止停止部７によりオーバーフロー管２の内部に洗浄水がなかったことにより生じた浮力は完全にキャンセルされているため、弁体１、オーバーフロー管２、浸水防止部３０はより速い速度で引き下げられる。
【００３０】
そして、その後、ロータンク６の内部に設けられる給水手段（図示しない）によって、所定の水位まで洗浄水が貯留されて、再び洗浄開始するまで待機することになる。
【００３１】
洗浄水が貯留される時、ロータンク６の内部の水位が、オーバーフロー管２の最上部より高くなることがあっても、オーバーフロー管２の内部からオーバーフロー管２の外部への洗浄水の流出は可能であるため、オーバーフロー管２の内部を介して洗浄水をロータンク６の外部に排出することができる。
【００３２】
したがって、浸水防止部３０と浸水防止停止部７を備えたロータンク装置は、浮力を利用した引き上げ速度の向上を図ることができるとともに、オーバーフロー管２の内部の浮力を完全にキャンセルできることため、引き下げ速度の向上も図ることができる。また、同時にオーバーフロー管２としての本来の機能も十分に果たすことができる。
【図面の簡単な説明】
【００３３】
【図１】は、本発明の実施形態に係るロータンク装置の構成を示す斜視図である。
【図２】は、本発明の実施形態に係るロータンク装置の構成を示す断面図である。
【図３】は、本発明の実施形態に係る浸水防止部の構成を示す模式図である。
【図４】は、本発明の実施形態に係る浸水防止部の機能を示す模式図である。
【符号の説明】
【００３４】
１    弁体
２    オーバーフロー管
３    流出開口部
５    玉鎖
６    ロータンク
７    浸水防止停止部
８    排水口
３０    浸水防止部
３１    ボール
３２    テーパ部
３３    メッシュ部
４０    モータ
４１    モータ軸
５０    ロータンク装置
【図１】
2009287222.tif 000003
【図２】
2009287222.tif 000004
【図３】
2009287222.tif 000005
【図４】
2009287222.tif 000006